(57)【要約】      （修正有）【課題】適切な重量を実現するために異種の軽量素材を組み込むと同時に、打撃時の望ましくない音と感触を最小限に抑えながら望ましい音響特性を実現するゴルフクラブを提供する。【解決手段】シャーシ４０１の内部空間を打撃フェース４０２寄りの第１の体積を有する前方音響チャンバと該打撃フェース４０２とは反対側の第２の体積を有する後方重量節約チャンバに分離する、図示しない上方パネル部材と、中央サブパネル部材４１０ｂと、下方サブパネル部材４１０ｃからなるパネル部材４１０を有し、該第１の体積と該第２の体積の比率が約０．５より小さく、該後方重量節約チャンバは該前方音響チャンバを形成する材料より小さな密度を有する材料を少なくとも部分的に使用したゴルフクラブヘッド４００とする。【選択図】図４
2020014843.tif 000002
【特許請求の範囲】
【請求項１】
ゴルフクラブヘッドの前方側に位置決めされた、第１の材料から製造され第１の体積を有する前方音響チャンバと、
上記前方音響チャンバの後方に位置決めされた、少なくとも部分的に第２の材料から製造され第２の体積を有する後方重量節約チャンバとを有し、
上記前方音響チャンバおよび上記後方重量節約チャンバは、クラウン部分およびソール部分に結合されて上記ゴルフクラブヘッドを二分岐するパネル部材によって、分離され、
上記第２の材料は上記第１の材料より小さな密度を有し、
上記ゴルフクラブヘッドは、約０．５０より小さな、前方対後方体積比を有し、この前方対後方体積比は、上記前方音響チャンバの上記第１の体積を上記後方重量節約チャンバの上記第２の体積で割ったものとして定義されることを特徴とするゴルフクラブヘッド。
【請求項２】
上記前方対後方体積比は約０．４０より小さい請求項１記載のゴルフクラブヘッド。
【請求項３】
上記前方対後方体積比は約０．３５より小さい請求項２記載のゴルフクラブヘッド。
【請求項４】
上記前方音響チャンバは約２３０ｃｃより小さな体積を有し、上記後方重量節約チャンバは約２３０ｃｃより大きな体積を有する請求項１記載のゴルフクラブヘッド。
【請求項５】
上記前方音響チャンバは約１５０ｃｃより小さな体積を有し、上記後方重量節約チャンバは約３１０ｃｃより大きな体積を有する請求項４記載のゴルフクラブヘッド。
【請求項６】
上記前方音響チャンバは約１００ｃｃより小さな体積を有し、上記後方重量節約チャンバは約３６０ｃｃより大きな体積を有する請求項４記載のゴルフクラブヘッド。
【請求項７】
上記パネル部材は約０．３ｍｍから約０．７ｍｍの厚さを有する請求項１記載のゴルフクラブヘッド。
【請求項８】
上記パネル部材は約０．４ｍｍから約０．６ｍｍの厚さを有する請求項７記載のゴルフクラブヘッド。
【請求項９】
上記パネル部材は約０．５ｍｍの厚さを有する請求項８記載のゴルフクラブヘッド。
【請求項１０】
上記ゴルフクラブヘッドは臨界時間Ｔｃｒｉｔｉｃａｌが約０．０１秒より大きく約０．０２秒より小さい音響を形成し、上記臨界時間Ｔｃｒｉｔｉｃａｌは、上記音響が発振してピーク振幅Ａｍａｘから上記ピーク振幅Ａｍａｘの１０％の点に至るのにかかる時間の量として定義される請求項１記載のゴルフクラブヘッド。
【請求項１１】
上記臨界時間Ｔｃｒｉｔｉｃａｌが約０．０１５秒より大きく約０．０２秒より小さい請求項１０記載のゴルフクラブヘッド。
【請求項１２】
上記臨界時間Ｔｃｒｉｔｉｃａｌが約０．０１７５秒より大きく約０．０２秒より小さい請求項１１記載のゴルフクラブヘッド。
【請求項１３】
ゴルフクラブヘッドの前方側に位置決めされた、第１の材料から製造され第１の体積を有する前方音響チャンバと、
上記前方音響チャンバの後方に位置決めされた、少なくとも部分的に第２の材料から製造され第２の体積を有する後方重量節約チャンバとを有し、
上記前方音響チャンバおよび上記後方重量節約チャンバは、クラウン部分およびソール部分に結合されて上記ゴルフクラブヘッドを二分岐するパネル部材によって、分離され、
上記パネル部材は多面を有することを特徴とするゴルフクラブヘッド。
【請求項１４】
上記パネル部材は、さらに、
上方部分パネル部材と、
中央部分パネル部材と、
下方部分パネル部材とを有し、
上記上方部分パネル部材および上記部分パネル部材のすべては打撃フェースに対して異なる角度で配置される請求項１３記載のゴルフクラブヘッド。
【請求項１５】
上記パネル部材はさらに複数の２またはそれ以上の圧力解放孔を有する請求項１４記載のゴルフクラブヘッド。
【請求項１６】
上記複数の２またはそれ以上の圧力解放孔は、上記パネル部材の中央サブパネル部材中に位置決めされる請求項１５記載のゴルフクラブヘッド。
【請求項１７】
上記上方部分パネル部材および上記中央パネル部材は約１０度から約１５度の角度θを形成し、上記下方部分パネル部材および上記中央パネル部材は約１６度から約２０度の角度βを形成する請求項１４記載のゴルフクラブヘッド。
【請求項１８】
上記上方部分パネル部材および上記中央パネル部材は約１２度から約１４度の角度θを形成し、上記下方部分パネル部材および上記中央パネル部材は約１７度から約１９度の角度βを形成する請求項１７記載のゴルフクラブヘッド。
【請求項１９】
上記上方部分パネル部材および上記中央パネル部材は約１３度の角度θを形成し、上記下方部分パネル部材および上記中央パネル部材は約１８度の角度βを形成する請求項１８記載のゴルフクラブヘッド。
【請求項２０】
ゴルフクラブヘッドの前方側に位置決めされた、第１の材料から製造され第１の体積を有する前方音響チャンバと、
上記前方音響チャンバの後方に位置決めされた、少なくとも部分的に第２の材料から製造され第２の体積を有する後方重量節約チャンバとを有し、
上記第２の材料は上記第１の材料より小さな密度を有し、
上記前方音響チャンバおよび上記後方重量節約チャンバは、クラウン部分およびソール部分に結合されて上記ゴルフクラブヘッドを二分岐するパネル部材によって、分離され、
上記上記パネル部材の中央が上記パネル部材のクラウン部分およびソール部分より打撃フェースからさらに遠ざかって位置決めされるように、上記パネル部材が上記ゴルフクラブヘッドの上記前方側から曲がっていることを特徴とするゴルフクラブヘッド。
【発明の詳細な説明】
【技術分野】
【０００１】
この発明は、全般的には、パネル部材を介して打撃フェース部分の背後に二次障壁を有する新規かつ改良されたゴルフクラブに関する。このパネル部材により、ゴルフクラブヘッドは、性能を犠牲にすることなく、ゴルフクラブヘッドの背面後方部分に異種の材料を組み込むことができる。より具体的には、二次障壁は、ゴルフクラブヘッドの背面後方部分を、ゴルフクラブヘッドの音響特性を一般に低下させる可能性のある異種の材料で製造することを可能にする一方で、金属ゴルフクラブヘッドの音響特性を保持する。
【背景技術】
【０００２】
ゴルフクラブヘッドにおける軽量材料の利用は一般的に知られている。ゴルフクラブヘッドに軽量材料を使用すると、ゴルフクラブヘッドの特定の部分から質量が除去され、より最適化された領域に再配分できる。米国特許第６，６１２，９３８号（Ｍｕｒｐｈｙ等）は、プリプレグ材料のプライなどの異種の材料をゴルフクラブヘッドにおいて使用する初期の試みの１つを示している。
【０００３】
しかしながら、そのような軽量材料の利用により得られる裁量的質量の潜在的利益にもかかわらず、そのような材料の利用には通常いくつかの欠点が伴う。より具体的には、そのような軽量材料の利用は一般に望ましくない音響特性を伴う場合があり、性能に関係なくゴルファにとってゴルフクラブを望ましくないものにしている。
【０００４】
１９９１年に遡る米国特許第５，０６４，１９７号（Ｅｄｄｙ）は、クラブヘッドフェースに、ヘッド開口部において第１の前方チャンバを設け、この前方チャンバが所定の一次周波数で振動することにより、ゴルフクラブの音響特性を調整する初期の試みの１つを提供する。
【０００５】
米国特許第８，６５１，９７５号（Ｓｏｒａｃｃｏ）は、異種の材料を利用するゴルフクラブに関連する音響特性に対処する試みの別の例を提供した。より具体的には、Ｓｏｒａｃｃｏはゴルフクラブヘッドの表面の少なくとも一部を形成する音響調整複合部材をゴルフクラブヘッドに提供した。
【０００６】
最後に、米国特許第８，８４９，６３５号（ハヤセ等）は、音響特性のためのゴルフクラブヘッドの単なる基本設計を超えて、さらに複合ゴルフクラブヘッドのモーダルダンピング比を予測しようと試みた。
【０００７】
上述にもかかわらず、いずれの参考文献も、先進的な材料をすべて利用してゴルフクラブヘッドの性能を改善する手法を実現する一方で、ゴルフクラブヘッドの音響特性の劣化に対処する明瞭な手法を実現し、これによりゴルフクラブヘッドの性能を改善する方法を提供していない。したがって、上述から明らかなように、裁量的な重量を増やすために異種の軽量素材を組み込むという目標と、望ましくない音と感触を最小限に抑えながら望ましい音響特性を実現するという両方の目標を達成できるゴルフクラブの設計が望まれる。
【発明の概要】
【０００８】
この発明の一側面において、ゴルフクラブヘッドは、当該ゴルフクラブヘッドの前方側に位置決めされた、第１の材料から製造され第１の体積を有する前方音響チャンバと、上記前方音響チャンバの後方に位置決めされた、少なくとも部分的に第２の材料から製造され第２の体積を有する後方重量節約チャンバとを有し、上記前方音響チャンバおよび上記後方重量節約チャンバは、クラウン部分およびソール部分に結合されて上記ゴルフクラブヘッドを二分岐するパネル部材によって、分離され、上記第２の材料は上記第１の材料より小さな密度を有し、上記ゴルフクラブヘッドは、約０．５０より小さな、前方対後方体積比を有し、この前方対後方体積比は、上記前方音響チャンバの上記第１の体積を上記後方重量節約チャンバの上記第２の体積で割ったものとして定義される。
【０００９】
この発明の他の側面において、ゴルフクラブヘッドは、当該ゴルフクラブヘッドの前方側に位置決めされた、第１の材料から製造され第１の体積を有する前方音響チャンバと、上記前方音響チャンバの後方に位置決めされた、少なくとも部分的に第２の材料から製造され第２の体積を有する後方重量節約チャンバとを有し、上記前方音響チャンバおよび上記後方重量節約チャンバは、クラウン部分およびソール部分に結合されて上記ゴルフクラブヘッドを二分岐するパネル部材によって、分離され、上記パネル部材は多面を有する。
【００１０】
この発明の他の側面において、ゴルフクラブヘッドは、当該ゴルフクラブヘッドの前方側に位置決めされた、第１の材料から製造され第１の体積を有する前方音響チャンバと、上記前方音響チャンバの後方に位置決めされた、少なくとも部分的に第２の材料から製造され第２の体積を有する後方重量節約チャンバとを有し、上記第２の材料は上記第１の材料より小さな密度を有し、上記前方音響チャンバおよび上記後方重量節約チャンバは、クラウン部分およびソール部分に結合されて上記ゴルフクラブヘッドを二分岐するパネル部材によって、分離され、上記上記パネル部材の中央が上記パネル部材のクラウン部分およびソール部分より打撃フェースからさらに遠ざかって位置決めされるように、上記パネル部材が上記ゴルフクラブヘッドの上記前方側から曲がっている。
【００１１】
この発明のこれらの、または、他の特徴、側面、利点は以下の、図面、明細書および特許請求の範囲を参照してより良好に理解されるであろう。
【００１２】
この発明の先の、または他の特徴および利点は添付図面において説明されるように以下のこの発明の説明から明らかであろう。添付図面は、ここに組み込まれ、明細書の一部を形成し、さらにこの発明の原理を記述し、当業者がこの発明を実施し、または利用できるようになす。
【図面の簡単な説明】
【００１３】
【図１】添付図面の図１は、この発明に従うゴルフクラブヘッドの前面斜視図を示す。
【図２】添付図面の図２は、この発明に従うゴルフクラブヘッドの背面斜視図を示す。
【図３】添付図面の図３は、内部要素を説明するためにクラウンが取り外されている、この発明に従うゴルフクラブヘッドの部分背面斜視図を示す。
【図４】添付図面の図４は、この発明に従うゴルフクラブヘッドの分解斜視図を示す。
【図５】添付図面の図５は、この発明に従うゴルフクラブヘッドの断面図を示す。
【図６】添付図面の図６は、この発明の代替的な実施例に従うゴルフクラブヘッドの部分背面斜視図を示す。
【図７】添付図面の図７は、この発明の代替的な実施例に従うゴルフクラブヘッドの部分背面斜視図を示す。
【図８】添付図面の図８は、この発明の他の代替的な実施例に従うゴルフクラブヘッドの部分背面斜視図を示す。
【図９】添付図面の図９は、この発明のさらに他の代替的な実施例に従うゴルフクラブヘッドの断面図を示す。
【図１０】添付図面の図１０は、この発明の代替的な実施例に従うゴルフクラブヘッドの部分背面斜視図を示す。
【図１１】添付図面の図１１は、この発明の他の代替的な実施例に従うゴルフクラブヘッドの断面図を示す。
【図１２】添付図面の図１２は、この発明の他の代替的な実施例に従うゴルフクラブヘッドの部分背面斜視図を示す。
【図１３】添付図面の図１３は、この発明の他の代替的な実施例に従うゴルフクラブヘッドの断面図を示す。
【図１４】添付図面の図１４は、この発明の他の代替的な実施例に従うゴルフクラブヘッドの部分背面斜視図を示す。
【図１５】添付図面の図１５は、この発明の他の代替的な実施例に従うゴルフクラブヘッドの断面図を示す。
【図１６】添付図面の図１６は、この発明のさらに他の代替的な実施例に従うゴルフクラブヘッドの分解斜視図を示す。
【図１７】添付図面の図１７は、この発明のさらに他の代替的な実施例に従うゴルフクラブヘッドの断面図を示す。
【図１８】添付図面の図１８は、この発明の実施例に従うゴルフクラブヘッドの音響の振幅を示す時系列グラフを示す。
【図１９】添付図面の図１９は、事例的な従来例のゴルフクラブヘッドの音響の振幅を示す時系列グラフを示す。
【図２０】添付図面の図２０は、この発明の実施例に従うゴルフクラブヘッドの音響の周波数および電力のスペクトログラムを示す。
【図２１】添付図面の図２１は、従来のゴルフクラブヘッドの音響の周波数および電力のスペクトログラムを示す。
【発明を実施するための形態】
【００１４】
以下の詳細な説明は、この発明を実施する現行の最良形態を記述する。この説明は限定的な意味に解釈されるべきでなく、この発明の全般的な原理を説明する目的でのみなされており、この発明の範囲は添付の特許請求の範囲によりもっともよく定義されている。
【００１５】
種々の発明の特徴が以下に説明され、各特徴は他の独立に、または他と組み合わせて使用することができる。ただし、いずれの単一の発明の特徴も先に検討した問題のいずれも、またはそのすべてに対処しないかもしれず、また、先に検討した問題の１つに対処するだけかもしれない。さらに、先に検討した問題の１つまたは複数が、いかに説明される特徴のいずれによっても十分に対処されないかもしれない。
【００１６】
添付図面の図１は、この発明の例示的な実施例によるゴルフクラブヘッド１００の斜視図を示す。図１に示されたゴルフクラブヘッド１００は、ゴルフクラブヘッド１００の内部機構を示すことなく、ゴルフクラブヘッド１００の外観構成要素の大まかなスケッチのみを提供する。より具体的には、ゴルフクラブヘッド１００は、全般的には、ゴルフクラブヘッド１００のシャーシ１０１の前方部分に配置された打撃フェース１０２、シャーシ１０１の後方部分の底部に位置決めされたソール部分１０６、およびシャーシ１０１の後方部分の頂部に位置決めされたクラウン部分１０４を有する。。打撃フェース１０２は、シャーシ１０１とともに、正面部分およびスカート部分を含み、全体として、約４．０ｇ／ｃｃから約４．７ｇ／ｃｃの間、より好ましくは約４．１ｇ／ｃｃから約４．６ｇ／ｃｃの間、最も好ましくは約４．４ｇ／ｃｃの密度を有する第１の材料から製造されて良い。ほとんどの場合、第１の材料は、チタン８−１−１、ＡＴＩ４２５チタン、ＳＰ７００チタン、ＫＳ１２０チタン、ＫＳ１００チタン、Ｔｉ６−４などのチタン金属材料であって良く、これはこの発明の範囲および内容から逸脱することなく、上記の密度を有する。ただし、この発明の代替実施例では、この発明の範囲および内容から逸脱することなく、フェアウェイタイプの構造において、第１の材料は鋼であって良い。この発明のこの実施例によるクラウン部分１０４およびソール部分１０６は、ゴルフクラブヘッドの残りの部分よりも低い密度を有する第２の軽量材料から作られ、この発明の範囲および内容から逸脱することなく所望の軽量化を達成して良い。軽量の第２材料は、密度が約２．５ｇ／ｃｃから約２．９ｇ／ｃｃのアルミニウムタイプの材料、密度が約１．７３８ｇ／ｃｃのマグネシウム材料、密度の０．６ｇ／ｃｃ程度に小さい木製材料で製造して良いけれども、もっと一般的には、約１．２ｇ／ｃｃから約１．８ｇ／ｃｃの間の密度を有する繊維強化プラスチック複合型材料が使用されて良い。ゴルフクラブヘッドの低繊維面積質量を有する複合材料に関するさらなる情報は、米国特許公開２０１５／０３６００９４（Ｄｅｓｈｍｕｋｈ）に見出すことができ、その開示はその全体が参照により組み込まれる。図１からは見えないけれども、この発明のこの実施例に係るゴルフクラブヘッド１００は、内部において、前方音響チャンバと後方重量節約部材に分離され、二重チャンバゴルフクラブヘッド１００を作り出し、これはゴルフクラブ全体の最量的な重量を増加させ、他方で、ゴルフクラブヘッド１００の音響特性を保持することによって、改善された性能特性を実現できる。
【００１７】
添付図面の図２は、この発明の代替実施例に係るゴルフクラブヘッド２００の背面斜視図を示す。ゴルフクラブヘッド２００は、一般的に、図１に示される非常に類似した構成要素から構成されて良く、金属製シャーシ２０１、打撃フェース２０２、クラウン２０４、およびソール２０６を有して良い。ただし、図２に示される角度において、クラウン２０４のカバーが説明のために取り外されるならば、ゴルフクラブヘッド２００の内部構成要素をより明確に示すことができる。
【００１８】
添付図面の図３は、クラウンカバーが取り外されたこの発明の代替実施例に係るゴルフクラブヘッド３００の斜視図を示す。クラウンカバーの取り外しにより、ゴルフクラブヘッド３００の内部構成要素をより明確に示すことが可能になる。より具体的には、添付図面の図３は、ゴルフクラブヘッド３００の後方重量節約チャンバの構成要素を示す。ここに示される後方重量節約チャンバは、前方音響チャンバを後方重量節約チャンバから分離するパネル部材３１０によって作成される。この発明のこの実施例によるパネル部材３１０は、一般的には多面的であって良い。より具体的には、図３に示すパネル部材３１０は、パネル部材３１０を含む。図３に示されるパネル部材３１０のファセットは、ゴルフクラブヘッド３００の音響特性をさらに改善するためにパネル部材３１０を異なるサブコンポーネントに分離する少なくとも１つのファセットまたはベンドを含む。図３に示すパネル部材３１０のファセットは、３つの異なるサブパネル部材３１０ａ、３１０ｂ、および３１０ｃを作成して良い。上方サブパネル部材３１０ａは、一般的には、ゴルフクラブヘッド３００のクラウン部分に接続されて良く、中央サブパネル部材３１０ｂは、一般的には、上方サブパネル部材３１０ａの底部に接続されて良く、下側サブパネル部材３１０ｃは、一般的には、中央サブパネル部材３１０ｂの底部に接続されてよく、ゴルフクラブヘッド３００のソール部分にも接続されて良い。
【００１９】
ゴルフクラブヘッド３００の切り開いた図を提供する添付図面の図３は、パネル部材３１０を示すことに加えて、パネル部材３１０の中央サブパネル部材３１０ｂに配置された複数の円形圧力解放孔３１２ａおよび３１２ｂも示す。複数の２個またはそれ以上の圧力解放孔３１２ａおよび３１２ｂにより、ゴルフボールとの衝突中に前方音響チャンバに蓄積された圧力が後方重量節約チャンバに向かって移動し、ゴルフクラブヘッド３００の設計がそれらの利用を必要とするときの望ましくない音響効果を最小限に抑えることができる。この発明のこの例示的な実施例では、複数の圧力解放孔３１２ａおよび３１２ｂは、約１５ｍｍ〜約２５ｍｍ、より好ましくは約１７ｍｍ〜約２３ｍｍ、最も好ましくは約２０ｍｍの開口面積を有して良い。ここで、本実施例は複数の２つの圧力解放孔３１２ａおよび３１２ｂを示しているが、この発明は、その範囲および内容から逸脱しない範囲で、１つの圧力解放孔３１２のみ、または２つの圧力解放孔３１２を組み込むことができることに留意されたい。さらに、この発明の本実施例は、圧力解放孔３１２ａおよび３１２ｂが中央サブパネル部材３１０ｂに配置されることを示しているが、パネル部材３１０の他の部分に配置して、同様の目的を達成することができる。実際には、この発明の代替実施例において、この発明の範囲および内容から逸脱することなく、圧力解放孔３１２ａおよび３１２ｂなしでゴルフクラブヘッド３００を構築することができる（図７を参照）。
【００２０】
最後に、添付図面の図３は、下側サブパネル部材３１０ｃおよびソールに結合する複数のリブ３１４ａおよび３１４ｂも示し、これらは、パネル部材３１０に構造的剛性を提供して、ゴルフクラブヘッド３００の音響特性をさらに調整し、これは、この発明の範囲および内容から逸脱しない。図３は２つのリブ３１４ａおよび３１４ｂを示しているけれども、この発明は、ゴルフクラブヘッド３００の音響特性がさらなる調整を必要とする場合にのみリブ３１４ａおよび３１４ｂを組み込む。実際、この発明の代替実施例において、この発明の範囲および内容から逸脱することなく、必要に応じて、１つのリブ、３つのリブ、または任意の複数のリブを使用して良い。実際、極端な状況では、現在の設計はリブをまったく組み込まなくて良い（図６を参照）。
【００２１】
添付図面の図４は、この発明の一実施例に係るゴルフクラブヘッド４００の分解図を示す。ここで図４に示すゴルフクラブヘッド４００の分解図はは、さまざまなコンポーネント間の関係をより明確に表示できるようにする。より具体的には、図４は、ゴルフクラブヘッドのソール４０６がゴルフクラブヘッド４００のシャーシ４０１から取り外し可能になる構成を導入している。ソール４０６は、クラウン４０４と協働して、前述の後方重量節約チャンバを形成し、これもまた、パネル部材４１０を通じて前方音響チャンバから分離されている。打撃フェース４０２を取り除いた、この分解正面図により、正面音響室をより明確に示すことができ、パネル部材４１０の正面図も同様に示すことができる。上述の議論と同様に、パネル部材４１０は、上方サブパネル部材（図４には示されていない）、中央サブパネル部材４１０ｂ、および下方サブパネル部材４１０ｃにさらに分割され、すべては、同じ圧力解放孔４１２ａおよび４１２ｂを組み込んでいる（図４には図示せず）。
【００２２】
前方音響チャンバと後方重量節約チャンバとの間の関係をより明確に示すために、ゴルフクラブヘッド４００の断面図がより役立つ場合がある。添付図面の図５は、まさにこのようなものであり、この発明の例示的実施例によるゴルフクラブヘッド５００の断面図を提供する。前の議論は、ゴルフクラブヘッド５００の内部に前方音響チャンバ５２０および後方重量節約チャンバ５２２があることを示唆したが、ゴルフクラブヘッド５００の断面図は、パネル部材５１０を通じて分離され、ゴルフクラブを二分する、前方音響チャンバ５２０および後方重量節約チャンバ５２２として特定する。ここに示されている前方音響チャンバ５２０は、ゴルフクラブヘッド５００のシャーシの前方部分および打撃フェース５０２のインサートから構成されている。後方重量節約チャンバ５２２は、一般的には、ゴルフクラブヘッド５００の軽量化目標を達成するのに役立つ少なくとも１つの複合パネルから構成されて良い。本出願で使用される「複合」という用語は、２つ以上の異なる材料が組み合わされている任意の材料の一般的な用語を指して良いけれども、この発明の好ましい実施例では、繊維強化プラスチックが一般的な材料である。図５に示すこの特定の実施例において、ゴルフクラブヘッド５００は、軽量複合クラウン５０４および軽量複合ソール５０６を組み込むことにより２つの複合パネルを組み込み、重量の節約を最大化するけれども、代替の実施例では、この発明の範囲および内容から逸脱することなく、これらの一方を他のコンポーネントなしで排他的に使用して良い。
【００２３】
図５に示されるゴルフクラブヘッド５００の断面図は、前方音響チャンバ５２０と後方重量節約チャンバ５２２との間の関係を示すことに加えて、非常に重要な容積比を構成する互いに対する相対的な容積の考え方も示す。第一に、この断面図は、フェースの中心を通って、ゴルフクラブヘッドを前後に通る平面に沿うものである。ゴルフクラブヘッド５００は、一般的には、約０．５０未満、より好ましくは約０．４０未満、最も好ましくは約０．３５未満の前方対後方体積比を有して良く、ここで、前方対後方体積比は以下の式（１）により定義される。
「前方対後方体積比」＝
「前方音響チャンバ５２０の体積」／「後方重量節約チャンバ５２２の体積」  式（１）
より具体的には、前方音響チャンバ５２０は、一般的に、約２３０ｃｃ未満、より好ましくは約１５０ｃｃ未満、最も好ましくは約１００ｃｃ未満の体積を有して良く、他方、後方重量節約チャンバ５２２は、約２３０ｃｃより大きい、より好ましくは約３１０ｃｃより大きい、最も好ましくは約３６０ｃｃより大きい体積を有して良い。
【００２４】
上述の前方対後方体積比を作り出すために、この実施例に示されるパネル部材５１０は、一般に、約０．１ｍｍから約２．０ｍｍの間、より好ましくは約０．２５ｍｍから約１．０ｍｍの間、最も好ましくは約０．５ｍｍの厚さｄ１を有して良い。パネル部材５１０の厚さは、前方音響チャンバ５２０と後方重量節約チャンバ５２２との間に必要な障壁を作り出すので、ゴルフクラブヘッド５００の適切な機能にとって重要かつ重要である。パネル部材５１０の厚さｄ１が厚すぎると、前方音響チャンバ５２０の振動と後方重量節約チャンバ５２２との間の相関がもはや同期せず、前方音響チャンバ５２０の効率性が失われる可能性がある。代替的には、厚さｄ１が薄すぎる場合、２つのチャンバ間の相関が高すぎて、後方重量節約チャンバ５２２で使用される複合材料によって音響特性が過剰に減衰する可能性がある。ここで、厚さｄ１は、パネル部材５１０全体を通じて一定として示されているけれども、この発明の範囲および内容から逸脱することなく、ゴルフクラブヘッド５００のニーズに応じてこれをパネル部材５１０全体を通じて可変厚さとすることができる。
【００２５】
添付図面の図５は、また、ゴルフクラブヘッド５００の前面打撃フェースに対するパネル部材５１０の配置を示している。この発明のこの例示的な実施例において、パネル部材５１０の頂部は、一般に、約８ｍｍから約３６ｍｍの間、より好ましくは約９ｍｍから約２４ｍｍの間、最も好ましくは約１０ｍｍの距離ｄ２を置いて配置して良い。パネル部材５１０の底部は、約１３ｍｍ〜約５１ｍｍ、より好ましくは約１４ｍｍ〜約４５ｍｍ、最も好ましくは約１５ｍｍの距離ｄ３で配置されて良い。ここで、距離ｄ３は、前方音響チャンバ５２０に所望の音響特性を作り出すために、距離ｄ２より意図的に大きいことに留意すべきである。音響特性を達成するために、頂部の距離ｄ２と底部の距離ｄ３の間の固有比は、約０．４５から０．７０、より好ましくは約０．５０から約０．６０、最も好ましくは約０．５５に維持され、これは、パネルオフセット比と呼ばれる。パネルオフセット比は、ここで次の式（２）で定義される。
「パネルオフセット比」＝
「前面パネルからのクラウンオフセットの距離ｄ２」／「前面パネルからのソールオフセットの距離ｄ３」  式（２）
【００２６】
添付図面の図５は、また、パネル部材５１０を作成するために使用される特定の形状を示し、この図において、三面のパネル部材５１０は、パネル部材５１０の中心が打撃フェース５０２からさらに離れて体積を増加させる独特の形状を形成する。代替的には、パネル部材は、パネル部材５１０の中心がパネル部材５１０のクラウン５０４の部分およびソール５０６の部分よりも打撃フェース５０２からさらに離れて配置される独特の幾何学形状を有すると言うことができる。
【００２７】
添付図面の図５は、また、上方サブパネル部材、中央サブパネル部材、および下方サブパネル部材を作成する際にパネル部材５１０によって作成された異なるファセットに関する詳細を示している。より具体的には、図５のパネル部材５１０を詳細に見ると、上方サブパネル部材が中央サブパネル部材と約１０度から約１５度、より好ましくは約１２度から約１４度、最も好ましくは約１３度の角度θを形成して良いことがわかる。下方サブパネル部材および中央サブパネル部材は、約１６度から約２０度の間、より好ましくは約１７度から約１９度の間、最も好ましくは約１８度の角度βを形成する。ここで、距離ｄ２とｄ３の意図的な違いと同様に、上方サブパネル部材と下方サブパネル部材の角度の違いは、パネルの角度を変更する際に、ゴルフクラブヘッド５００の所望の音響特性を達成するために意図的かつ重要であることに留意されたい。
【００２８】
最後に、図５は、ゴルフクラブヘッド５００のシャーシに関連するクラウン５０４の複合パネルおよびソール５０６の複合パネルの異なる取り付け方法を示す。この発明のこの実施例において、クラウン５０４の複合パネルは一般に外部に取り付けられてもよい。ソール５０６の複合パネルは、クラウン５０４部分に形成された開口部を介してゴルフクラブヘッド５００の内部に取り付けられている。異なる取り付け機構のこの組み合わせは、これまで達成することが困難であった異なるユニークな構造を可能にするため、この発明にとって有益である。一例において、ソール５０６の複合部品の内部取り付けにより、内部リブを追加することができ、そのような内部リブは、取り付けが外部である場合には物理的に可能ではないだろう。この発明は、クラウン５０４の複合部品が外部であり、ソール５０６の複合部品が内部であることを示しているが、この発明の範囲および内容から逸脱することなく、クラウン部品５０４を内部に設置して２つの取り付け方法を逆にすることができる。
【００２９】
添付図面の図６は、パネル部材６１０がリブを必要としないこの発明の代替実施例によるゴルフクラブヘッド６００を示す。この代替実施例は、パネル部材６１０を３つの別個のサブコンポーネントに分離するファセットパネル部材６１０を依然として組み込み、圧力解放孔６１２ａおよび６１２ｂを利用して所望の音響特性を達成する。リブおよび圧力解放孔６１２ａおよび６１２ｂの必要性および配置は、一般に、ゴルフクラブヘッド６００の形状、輪郭、および材料の選択、ならびにそれが生成する音響特性に依存し、またこれら要素が相互に独立して存在して良く、これは、この発明の範囲および内容から逸脱しない点に留意されたい。図６に示されるこの現在の実施例において、ゴルフクラブヘッド６００は、底部においてパネル部材６１０に十分な構造的剛性を有して良いけれども、前方音響チャンバ内の音響減衰は過度の圧力を蓄積し、圧力解放孔６１２ａおよび６１２ｂによる緩和を必要とする。
【００３０】
実際、添付図面の図７は、ゴルフクラブヘッド７００が圧力解放孔を必要とせずに複数のリブ７１４ａおよび７１４ｂを組み込んだこの発明の代替実施例の１つを、まさに、示す。この実施例は、パネル部材７１０の底部に剛性がないためにゴルフクラブヘッドの音響特性が望ましくない場合に好ましい場合がある。
【００３１】
添付図面の図８は、この発明の代替実施例によるゴルフクラブヘッド８００を示し、この図において、前方音響チャンバと後方重量節約チャンバとを分離するパネル部材８１０は、１つの特大圧力解放孔８１２を有してゴルフクラブヘッド８００に必要とされる異なる音響周波数を実現して良い。この発明のこの実施例において、特大の圧力解放孔８１２の面積は一般的には約２，０００ｍｍ２より大きく、より好ましくは約２，２００ｍｍ２より大きく、最も好ましくは、約２，４００ｍｍ２より大きくて良い。特大の圧力解放孔８１２は、ゴルフクラブヘッド８００の音響特性がそのような設計を必要とする状況で望ましい場合がある。
【００３２】
この発明のこの代替実施例における前方音響チャンバと後方重量節約チャンバとの間の関係を例示するために、図９が示され、これは、この発明の代替実施例に係るゴルフクラブヘッド８００の断面図を示す。この断面図において、特大の圧力解放孔８１２が、前述の音響特性のためだけでなく、パネル部材８１０の付加的な重量削減のためにも、前方音響チャンバ８２０と後方重量節約チャンバ８２２との間の大きな接続を実現することに留意されたい。
【００３３】
図１０および図１１は、この発明の代替実施例に従うゴルフクラブヘッド１０００の後方開放図および断面図を示し、これらの図において、パネル部材１０１０に形成された特大の圧力解放孔１０１２は、軽量パネル１０１６によって完全に被覆されて、音響特性の一部を回復し、前方音響チャンバ１０２０と後方重量軽減チャンバ１０２２との間のより大きな分離を実現して良い。軽量パネル１０１６は、一例をあげれば、接着剤、ねじ止め、カシメ等の種々の連結手段を用いて結合して良い。理解すべきことの１つは、軽量パネル１０１６の配置が前面接触領域から離れているため、衝撃のストレスが小さくなり、より単純な取り付け手段を使用できるようになるということである。
【００３４】
図１２および図１３は、この発明の代替実施例に従うゴルフクラブヘッド１２００の後方開放図および断面図を示し、これらの図において、パネル部材１２１０は前の実施例とはわずかに異なる形状を取って良い。より具体的には、図１２および図１３は、ゴルフクラブヘッド１２００を示し、このゴルフクラブヘッドでは、パネル部材１２１０は、前の実施例に示されるように３つの異なるゾーンにファセットされる代わりに、ゴルフクラブヘッド１２００の前部から離れて湾曲している。代替的には、パネル部材１２１０の形状は連続的に湾曲しており、パネル部材１２１０の中心は、パネル部材１２１０のクラウン１２０４の部分およびソール１２０６の部分よりも打撃フェース１２０２からさらに離れた位置にあると言うことができる。連続的な湾曲を含むパネル部材１２１０は、前方音響チャンバ１２２０の音響特性がより多くの振動を必要とする特定の実施例において有益であり、以前の設計の収束点はこの振動を乱す。加えて、後方重量節約チャンバ１２２２は、そのチャンバ内の容積を最小化することにより利益を得る場合もある。図１２および図１３に示される、この発明のこの実施例は、リブまたは圧力解放孔を組み込んでいないけれども、この発明の範囲および内容から逸脱することなく、ゴルフクラブヘッド１２００の音響ニーズに応じてこの設計に組み込むことができる。
【００３５】
図１４および１５は、パネル部材１４１０が完全な垂直壁であるこの発明のさらに別の代替実施例に従うゴルフクラブヘッド１４００の後方開放図および断面図を示す。完全に垂直なパネル部材１４１０が完全に垂直であると、ゴルフクラブヘッド１４００が、所望の音響を実現するのに必要な振動を生成するのを妨げる可能性があるため、完全に垂直な壁の形状のパネル部材を有することは、一般的に前方音響チャンバ１４２０に適切な音響特性を作り出す上で望ましくない。逆に、後方重量節約チャンバ１４２２は、それに応じて調整される。しかし、ゴルフクラブヘッド１４００のプロファイルがそのような設計を必要とする極端な状況では、この発明のこの代替実施例は、必要な音響特性を達成できるゴルフクラブヘッド１４００を実現する。
【００３６】
図１６および１７は、この発明のさらに別の実施例に従うゴルフクラブヘッド１６００の分解斜視図および断面図を示す。この発明のこの代替実施例において、ゴルフクラブヘッド１６００は、２つの別個の構成要素、すなわち、前方金属部分１６３０および後方複合部分１６３２に分離される。前方金属部分１６３０および後方複合部分１６３２は、ゴルフクラブヘッド１６００を構成する外部物理的構成要素を指すのに対して、前方音響チャンバ１６２０および後方重量節約チャンバ１６２２は、ゴルフクラブヘッド１６００内の内部構成要素を指すことに留意されたい。この発明のこの実施例において、ゴルフクラブヘッド１６００の外部物理的構成要素は、打撃フェース１６０２、前面開口部を有し、パネル部材１６１０を形成する前方金属部分１６３０、および後方複合部分１６３２である。図１６に示すゴルフクラブヘッド１６００の分解図は、特にゴルフクラブヘッド４００（図４に示す）の分解図と比較した場合、この発明の２つの実施例の違いを示す。より具体的には、ここでは、図１６に示された本実施例は、ゴルフクラブヘッド１６００の後方部分から金属部品を完全に除去し、ゴルフクラブヘッド１６００の後方半分に完全に複合材料を利用して、さらに軽量化を達成していることに留意されたい。
【００３７】
外部の物理的構成要素と内部の構成要素との間の関係を説明するために、図１７において、ゴルフクラブヘッド１６００の断面図が示される。ゴルフクラブヘッド１６００の当該断面図において、前のすべての実施例と同様に、前方音響チャンバ１６２０が前方金属部分１６３０によって完全に形成されていることが分かる。ただし、この断面図に示される後方複合部分１６３２は、ゴルフクラブヘッド１６００の背面全体が複合材料で作られており、適切な音響特性を作成するうえで、前方音響チャンバ１６２０がさらに重要であることを示している。この発明のこの実施例において、後方複合部分１６３２は、重ね継手を介して前方金属部分１６３０に接合され、ここで後方複合部分１６３２は前方金属部分１６３０の下にある。複合材料を金属材料の下に配置するこの種の独特な構造は、内部リブを利用してそのような支持を必要とする傾向がある複合材料に構造的剛性を提供するのに適しているため、ゴルフクラブヘッド１６００の性能に有益である。ただし、この発明のこの実施例に示されるゴルフクラブヘッドは重ね継手を示すけれども、前方金属部分１６３０と後方複合部分１６３２を接続できる限り、この発明の範囲および内容から逸脱しない範囲で、他の多くのタイプの継手を使用できることに留意されたい。
【００３８】
前述の議論の多くは、異なる設計および実施例を使用してゴルフクラブヘッドに望ましい音響特徴を作成するための前方音響チャンバの利用に関する。それゆえ、この発明は、それがどの音響特性を達成するかに関するさらなる情報を提供することが望まれる。
【００３９】
添付図面の図１８は、この発明の実施例に従うこの発明のゴルフクラブヘッドによって生成される音の振幅の時系列図を示す。前述の議論のように、この発明のゴルフクラブヘッドによるゴルフクラブヘッドの音は、ゴルフクラブヘッドの性能を決定する重要な要素の１つである。議論が実際のデータに進む前に、図１８に示される結果をもたらすこの発明の測定のパラメータを説明することは有意義である。この時系列図は、ＴＡＳＣＡＭ（商標）ＤＨ−Ｐ２ポータブル高解像度ステレオオーディオレコーダなどのオーディオレコーダーをＡウェイトマイクを使用して、オーディオプロファイルを収集することによって作成さる。記録は、ゴルフクラブヘッドとゴルフボールの間の衝撃から３９インチの距離で記録される。これは、ゴルファがゴルフクラブを打つときのゴルファの耳までの距離を最も厳密にシミュレートする距離として決定される。適切な周波数解像度を実現するために、データは４４．１Ｈｚでサンプリングされる。
【００４０】
図１８に示す実際のデータに移る。ｘ軸に録音の時間が０．０１秒単位で表示され、他方、ｙ軸は音の振幅をミリボルトで示すことがわかる。図１８に示す現在の録音では、音声記録は、ゴルフボールとの衝突の直前の時間１８４４で始まり、正弦波に入り、これは時点１８４０でピーク振幅Ａｍａｘに達することが分かる。時点１８４０でピーク振幅Ａｍａｘに達すると、振幅が共振し始め、完全に消散するまで減少し始める。ただし、消散する前に、振幅がピーク振幅Ａｍａｘの１０％未満に低下するポイントに注意することが重要である。これは、音の振幅が素の耳にとって無視できる境界線になる時点１８４２を定義するからである。図１８に示されている音の固有の振動傾向により、音の振動が実際にピーク振幅Ａｍａｘの１０％に達するときを決定することは、視覚的な識別上、困難であろう。したがって、決定を容易にするため、また、これらの音響図に固有の振動分散を特定するために、最新の５つのデータポイントの移動平均を使用して振幅が決定される。ピーク振幅Ａｍａｘの１０％のこの位置にラベルを付けるために、これが、図１８に示される時点１８４２で発生するとなす。この発明の現在の例示的な実施例において、ピーク振幅Ａｍａｘは一般に約０．５０ミリボルトであり、約０．００７秒の時点１８４０で生じる。減少した１０％のピーク振幅Ａｍａｘは、約０．０２５秒の時点１８４２で発生する。これらの時点１８４０〜１８４２の間の時間は、臨界時間Ｔｃｒｉｔｉｃａｌを定義するのに役立つので、これは認識することが重要である。臨界時間Ｔｃｒｉｔｉｃａｌは、ゴルフボールにインパクトを与えるときのゴルフクラブヘッドの音の品質と望ましさを定量化する方法を実現する。この発明の本実施例において、臨界時間Ｔｃｒｉｔｉｃａｌは約０．０１８秒であって良い。
【００４１】
この発明によるゴルフクラブヘッドは、一般に、この発明の範囲および内容から逸脱しない範囲で、約０．０１秒を超え約０．０２秒未満、より好ましくは約０．０１５秒を超え約０．０２秒未満、最も好ましくは約０．０１７５秒を超え約０．０２秒より短い。別の言い方をすると、音の振幅がピーク振幅Ａｍａｘからピーク振幅Ａｍａｘの１０％の振幅になるまでにかかる時間は、臨界時間Ｔｃｒｉｔｉｃａｌとして定義され、一般に約０．０１秒を超え、約０．０２秒未満、より好ましくは約０．０１５秒を超、約０．０２秒未満、最も好ましくは約０．０１７５秒を超え、約０．０２秒未満である。
【００４２】
添付図面の図１９は、ゴルフクラブヘッドの音響成分の重要性を認識できない複合クラウン技術を組み込んだ従来技術のゴルフクラブヘッドの時系列図の例示を示す。図１９からわかるように、約０．２５ミリボルトに近いことにより、この発明のゴルフクラブヘッドよりも著しく低いピーク振幅Ａｍａｘであるだけでなく、振幅を本当に急速に失い、約０．０１未満の臨界時間Ｔｃｒｉｔｉｃａｌを生じる。この例示的な従来技術のゴルフクラブヘッドでは、ピーク振幅Ａｍａｘは約０．００８秒の時間に発生し、ピーク振幅Ａｍａｘの減少した１０％は約０．０１５秒の時間に発生し、約０．００７秒の臨界時間Ｔｃｒｉｔｉｃａｌを生じる。これは、この発明のゴルフクラブヘッドのＴｃｒｉｔｉｃａｌの範囲である約０．０１秒から０．０２秒よりも著しく小さい。図１９に示されるこの従来技術の時系列は、一般的に、望ましくない音を生じるが、この発明は、異なる材料およびそれらのそれぞれの層の厚さ範囲を調整することにより回避する。
【００４３】
図２０は、この発明のゴルフクラブヘッドに従って望ましい音を生じるゴルフクラブヘッドの音響特性に関するさらなる情報を提供する。音の振幅と持続時間は重要な要素であるけれども、ゴルフクラブヘッドの音のキャプチャに関する全体像を描くわけではない。より具体的には、ゴルフクラブヘッドの音を正確にキャプチャする際の第３の要素は、ゴルフボールとの衝突中にゴルフクラブヘッドが発する音の周波数である。図２０は、時間とともに変化する音の周波数のスペクトルを視覚的に表現するスペクトログラムを示すことにより、まさにこの情報を提供する。図２０に示されるスペクトログラムは、多くの情報を含むけれども、注視すべき重要な特徴は、３５００ｋＨｚを超える周波数で発生する卓越（ｃｏｍｉｎａｎｔ）音響音響周波数２０４６である。卓越周波数は、図２０に示すスペクトログラム自体の右側のパワー／周波数チャート２０４８で決定されたシェーディングによって決定される。
【００４４】
現在の発明のゴルフクラブヘッドの振幅に関する上述の議論と同様に、現在のゴルフクラブヘッドの音響特性のスペクトログラムの違いを真に認識するために、望ましくない音響特性を含む従来技術のゴルフクラブヘッドがここで図２１に示される。添付図面の図２１は、望ましくない音響特徴を生成する複合材料を有する従来技術のゴルフクラブヘッドのスペクトログラムを示す。図２１に示されたスペクトログラムの大まかな検査でさえも、図２０に示す現在のこの発明のゴルフクラブヘッドスペクトログラムとの明確な違いを示している。より具体的には、図２１のより詳細な検討によれば、卓越音響周波数２１４６は、約２１００ｋＨｚの周波数で、３５００ｋＨｚよりかなり低い周波数で発生することがわかる。この従来技術のゴルフクラブヘッドとこの発明のゴルフクラブヘッドとの間の１１００ｋＨｚの周波数の差分は、ゴルフクラブヘッドの振幅の速い過減衰と組み合わされて、望ましい音響特性と望ましくない音響特性の違いとなり、これは以前に説明した。
【００４５】
最後に、パネル部材は、ここでは、一般に、３３００ｋＨｚを超える独自の共振周波数を有し、このパネル部材をゴルフクラブヘッドの他の構造と組み合わせた場合、上述のゴルフクラブヘッドの共振周波数をもたらすことがある点に留意することは有益である。
【００４６】
動作例の外に、または、とくにことわらない限りは、すべての数の範囲、量、値およびパーセント例えば明細書中の材料の量、慣性モーメント、重心位置、ロフト、ドラフト角度、種々の性能比、その他に関するそのようなものは、値、量、または範囲とともに明瞭に「約」の用語が表示されていなくてもそのような用語「約」があるものとして認識することができる。したがって、そうでないと示されない限り、明細書および特許請求の範囲の数字のパラメータは近似であり、これはこの発明により実現されることがのぞまれる所望の特性に応じて変化する。特許請求の範囲の均等理論の適応を排除する意図はないが、少なくとも、各数量のパラメータは報告された実行桁数の下で理解され、通常の丸め手法により把握すべきである。
【００４７】
この発明の広い範囲を示す数量の範囲およびパラメータは近似であるけれども、明細書の例に示された数量の値はできる限り正確に報告されている。ただし、いずれの数量の値も、各実験の測定に見いだされる標準偏差に起因する必然的な誤差を内在する。さらに、種々のことがらについて数量の範囲が示される場合には、指摘した値の範囲で、それらを組み合わせたものが利用できることを理解されたい。
【００４８】
以上は、この発明の例示の実施例に関するものであり、以下の特許請求の範囲で示される発明の範囲および程度を逸脱することなく修正を行えることはもちろんであることに留意されたい。
【図１】
2020014843.tif 000003
【図２】
2020014843.tif 000004
【図３】
2020014843.tif 000005
【図４】
2020014843.tif 000006
【図５】
2020014843.tif 000007
【図６】
2020014843.tif 000008
【図７】
2020014843.tif 000009
【図８】
2020014843.tif 000010
【図９】
2020014843.tif 000011
【図１０】
2020014843.tif 000012
【図１１】
2020014843.tif 000013
【図１２】
2020014843.tif 000014
【図１３】
2020014843.tif 000015
【図１４】
2020014843.tif 000016
【図１５】
2020014843.tif 000017
【図１６】
2020014843.tif 000018
【図１７】
2020014843.tif 000019
【図１８】
2020014843.tif 000020
【図１９】
2020014843.tif 000021
【図２０】
2020014843.tif 000022
【図２１】
2020014843.tif 000023
【手続補正書】
【提出日】令和1年8月29日(2019.8.29)
【手続補正１】
【補正対象書類名】特許請求の範囲
【補正対象項目名】全文
【補正方法】変更
【補正の内容】
【特許請求の範囲】
【請求項１】
ゴルフクラブヘッドの前方側に位置決めされた、第１の材料から製造され第１の体積を有する前方音響チャンバと、
上記前方音響チャンバの後方に位置決めされた、少なくとも部分的に第２の材料から製造され第２の体積を有する後方重量節約チャンバとを有し、
上記前方音響チャンバおよび上記後方重量節約チャンバは、クラウン部分およびソール部分に結合されて上記ゴルフクラブヘッドを二分岐するパネル部材によって、分離され、
上記第２の材料は上記第１の材料より小さな密度を有することを特徴とするゴルフクラブヘッド。
【請求項２】
ゴルフクラブヘッドの前方側に位置決めされた、第１の材料から製造され第１の体積を有する前方音響チャンバと、
上記前方音響チャンバの後方に位置決めされた、少なくとも部分的に第２の材料から製造され第２の体積を有する後方重量節約チャンバとを有し、
上記前方音響チャンバおよび上記後方重量節約チャンバは、クラウン部分およびソール部分に結合されて上記ゴルフクラブヘッドを二分岐するパネル部材によって、分離され、
上記第２の材料は上記第１の材料より小さな密度を有し、
上記ゴルフクラブヘッドは、０．５０より小さな、前方対後方体積比を有し、この前方対後方体積比は、上記前方音響チャンバの上記第１の体積を上記後方重量節約チャンバの上記第２の体積で割ったものとして定義されることを特徴とするゴルフクラブヘッド。
【請求項３】
上記前方対後方体積比は０．４０より小さい請求項２記載のゴルフクラブヘッド。
【請求項４】
上記前方対後方体積比は０．３５より小さい請求項３記載のゴルフクラブヘッド。
【請求項５】
上記前方音響チャンバは２３０ｃｃより小さな体積を有し、上記後方重量節約チャンバは２３０ｃｃより大きな体積を有する請求項２記載のゴルフクラブヘッド。
【請求項６】
上記前方音響チャンバは１５０ｃｃより小さな体積を有し、上記後方重量節約チャンバは３１０ｃｃより大きな体積を有する請求項５記載のゴルフクラブヘッド。
【請求項７】
上記前方音響チャンバは１００ｃｃより小さな体積を有し、上記後方重量節約チャンバは３６０ｃｃより大きな体積を有する請求項５記載のゴルフクラブヘッド。
【請求項８】
上記パネル部材は０．３ｍｍから０．７ｍｍの厚さを有する請求項２記載のゴルフクラブヘッド。
【請求項９】
上記パネル部材は０．４ｍｍから０．６ｍｍの厚さを有する請求項８記載のゴルフクラブヘッド。
【請求項１０】
上記パネル部材は０．５ｍｍの厚さを有する請求項９記載のゴルフクラブヘッド。
【請求項１１】
上記ゴルフクラブヘッドは臨界時間Ｔｃｒｉｔｉｃａｌが０．０１秒より大きく０．０２秒より小さい音響を形成し、上記臨界時間Ｔｃｒｉｔｉｃａｌは、上記音響が発振してピーク振幅Ａｍａｘから上記ピーク振幅Ａｍａｘの１０％の点に至るのにかかる時間の量として定義される請求項２記載のゴルフクラブヘッド。
【請求項１２】
上記臨界時間Ｔｃｒｉｔｉｃａｌが０．０１５秒より大きく０．０２秒より小さい請求項１１記載のゴルフクラブヘッド。
【請求項１３】
上記臨界時間Ｔｃｒｉｔｉｃａｌが０．０１７５秒より大きく０．０２秒より小さい請求項１２記載のゴルフクラブヘッド。
【請求項１４】
ゴルフクラブヘッドの前方側に位置決めされた、第１の材料から製造され第１の体積を有する前方音響チャンバと、
上記前方音響チャンバの後方に位置決めされた、少なくとも部分的に第２の材料から製造され第２の体積を有する後方重量節約チャンバとを有し、
上記前方音響チャンバおよび上記後方重量節約チャンバは、クラウン部分およびソール部分に結合されて上記ゴルフクラブヘッドを二分岐するパネル部材によって、分離され、
上記パネル部材は多面を有することを特徴とするゴルフクラブヘッド。
【請求項１５】
上記パネル部材は、さらに、
上方部分パネル部材と、
中央部分パネル部材と、
下方部分パネル部材とを有し、
上記上方部分パネル部材および上記部分パネル部材のすべては打撃フェースに対して異なる角度で配置される請求項１４記載のゴルフクラブヘッド。
【請求項１６】
上記パネル部材はさらに複数の２またはそれ以上の圧力解放孔を有する請求項１５記載のゴルフクラブヘッド。
【請求項１７】
上記複数の２またはそれ以上の圧力解放孔は、上記パネル部材の中央サブパネル部材中に位置決めされる請求項１６記載のゴルフクラブヘッド。
【請求項１８】
上記上方部分パネル部材および上記中央パネル部材は１０度から１５度の角度θを形成し、上記下方部分パネル部材および上記中央パネル部材は１６度から２０度の角度βを形成する請求項１５記載のゴルフクラブヘッド。
【請求項１９】
上記上方部分パネル部材および上記中央パネル部材は１２度から１４度の角度θを形成し、上記下方部分パネル部材および上記中央パネル部材は１７度から１９度の角度βを形成する請求項１８記載のゴルフクラブヘッド。
【請求項２０】
上記上方部分パネル部材および上記中央パネル部材は１３度の角度θを形成し、上記下方部分パネル部材および上記中央パネル部材は１８度の角度βを形成する請求項１９記載のゴルフクラブヘッド。
【請求項２１】
ゴルフクラブヘッドの前方側に位置決めされた、第１の材料から製造され第１の体積を有する前方音響チャンバと、
上記前方音響チャンバの後方に位置決めされた、少なくとも部分的に第２の材料から製造され第２の体積を有する後方重量節約チャンバとを有し、
上記第２の材料は上記第１の材料より小さな密度を有し、
上記前方音響チャンバおよび上記後方重量節約チャンバは、クラウン部分およびソール部分に結合されて上記ゴルフクラブヘッドを二分岐するパネル部材によって、分離され、
上記上記パネル部材の中央が上記パネル部材のクラウン部分およびソール部分より打撃フェースからさらに遠ざかって位置決めされるように、上記パネル部材が上記ゴルフクラブヘッドの上記前方側から曲がっていることを特徴とするゴルフクラブヘッド。
【手続補正２】
【補正対象書類名】明細書
【補正対象項目名】０００７
【補正方法】変更
【補正の内容】
【０００７】
上述にもかかわらず、いずれの参考文献も、先進的な材料をすべて利用してゴルフクラブヘッドの性能を改善する手法を実現する一方で、ゴルフクラブヘッドの音響特性の劣化に対処する明瞭な手法を実現し、これによりゴルフクラブヘッドの性能を改善する方法を提供していない。したがって、上述から明らかなように、裁量的な重量を増やすためにエキゾチックな軽量素材を組み込むという目標と、望ましくない音と感触を最小限に抑えながら望ましい音響特性を実現するという両方の目標を達成できるゴルフクラブの設計が望まれる。
［先行技術文献］
［特許文献］
【特許文献１】米国特許第６，６１２，９３８号明細書
【特許文献２】米国特許第５，０６４，１９７号明細書
【特許文献３】米国特許第８，６５１，９７５号明細書
【特許文献４】米国特許第８，８４９，６３５号明細書
【手続補正３】
【補正対象書類名】明細書
【補正対象項目名】００４８
【補正方法】変更
【補正の内容】
【００４８】
以上は、この発明の例示の実施例に関するものであり、以下の特許請求の範囲で示される発明の範囲および程度を逸脱することなく修正を行えることはもちろんであることに留意されたい。
［符号の説明］
１００    ゴルフクラブヘッド
１０１    シャーシ
１０２    打撃フェース
１０４    クラウン部分
１０６    ソール部分
２００    ゴルフクラブヘッド
２０１    シャーシ
２０２    打撃フェース
２０４    クラウン
２０６    ソール
３００    ゴルフクラブヘッド
３１０    パネル部材
３１２、３１２ａ    圧力解放孔
３１４ａ    リブ
４００    ゴルフクラブヘッド
４０１    シャーシ
４０２    打撃フェース
４０４    クラウン
４０６    ソール
４１０    パネル部材
４１２ａ    圧力解放孔
５００    ゴルフクラブヘッド
５０２    打撃フェース
５０４    クラウン
５０６    ソール
５１０    パネル部材
５２０    前方音響チャンバ
５２２    後方重量節約チャンバ
６００    ゴルフクラブヘッド
６１０    パネル部材
６１２ａ    圧力解放孔
７００    ゴルフクラブヘッド
７１０    パネル部材
７１４ａ    リブ
８００    ゴルフクラブヘッド
８１０    パネル部材
８１２    特大圧力解放孔
８２０    前方音響チャンバ
８２２    後方重量節約チャンバ
１０００    ゴルフクラブヘッド
１０１０    パネル部材
１０１２    圧力解放孔
１０１６    軽量パネル
１０２０    前方音響チャンバ
１０２２    後方重量軽減チャンバ
１２００    ゴルフクラブヘッド
１２０２    打撃フェース
１２０４    クラウン
１２０６    ソール
１２１０    パネル部材
１２２０    前方音響チャンバ
１２２２    後方重量節約チャンバ
１４００    ゴルフクラブヘッド
１４１０    パネル部材
１４２０    前方音響チャンバ
１４２２    後方重量節約チャンバ
１６００    ゴルフクラブヘッド
１６０２    打撃フェース
１６１０    パネル部材
１６２０    前方音響チャンバ
１６２２    後方重量節約チャンバ
１６３０    前方金属部分
１６３２    後方複合部分
【外国語明細書】
2020014843000001.pdf